(57)【要約】【課題】  確実なバストアップ、ボリュームアップ、バストの補整効果の長期維持が可能で、着用心地のよいブラジャーを提供する。【解決手段】  内側布と外側布との間にウレタンフォームを成形したウレタン成形体２を内装するカップ部１０と、カップ部に連結する肩紐と背面布を有するブラジャーであって、カップ部は着用者の乳房部を収容可能な湾曲面であるとともに、カップ部の頂部２５の回り下部にウレタン成形体の層厚を最も厚くした層厚部２３を形成し、カップ部の頂部２５の回り上部に層厚部の層厚に比べて層厚を全体的に薄くした上カップ部２７を形成し、カップ部の下端縁はウレタンフォームの圧縮率を高くした高密度の支持部３０を形成してなり、該支持部３０と層厚部２３とを有する下カップ部が乳房部に面接触して乳房部の補正形状を維持する構成を具備する。【選択図】      図３
2006161246.tif 000002
【特許請求の範囲】
【請求項１】
内側布と外側布との間にウレタンフォームを成形したウレタン成形体を内装するカップ部と、
カップ部に連結する肩紐と背面布を有するブラジャーにおいて、
前記カップ部は着用者の乳房部を収容可能な湾曲面であるとともに、カップ部の頂部の回り下部にウレタン成形体の層厚を最も厚くした層厚部を形成し、カップ部の頂部の回り上部に前記層厚部の層厚に比べて層厚を全体的に薄くした上カップ部を形成し、カップ部の下端縁はウレタンフォームの圧縮率を高くした高密度の支持部を形成してなり、該支持部と上記層厚部とを有する下カップ部が乳房部に面接触して乳房部の補正形状を維持するよう構成されていることを特徴とするブラジャー。
【請求項２】
前記カップ部の支持部にはワイヤを配設していない請求項１記載のブラジャー。
【請求項３】
前記カップ部の内側布はウレタン成形体に接着されている請求項１記載のブラジャー。
【請求項４】
前記ウレタン成形体は複数枚のウレタンフォームを積層するとともに、層厚部は更に補助ウレタンフォームを介在させている請求項１記載のブラジャー。
【請求項５】
前記カップ部は、層厚部の圧縮率が原積層フォーム厚の５／１０〜７／１０、支持部の圧縮率が原積層フォーム厚の１／１５〜２／１５である請求項１記載のブラジャー。
【請求項６】
内側布と外側布との間にウレタン成形体を内装するカップ部を有するブラジャーの製造方法において、
複数枚のウレタンフォームを積層するウレタンフォーム積層工程と、該積層されたウレタンフォームをモールド加工して湾曲面を有するウレタン成形体を形成するモールド加工工程を備え、
前記モールド加工の加工工程は、部分的に圧縮圧力を変化させながらウレタン成形体の全体が圧縮状態となるよう加工するとともに、カップ部の下端縁の圧縮率を原積層フォーム厚の１／１５〜２／１５とし、高密度の支持部を形成してなることを特徴とするブラジャーの製造方法。
【請求項７】
ウレタンフォームの積層工程において、層厚部に補助ウレタンフォームを介在させるとともに、モールド加工の加工工程において、該箇所は原積層フォーム厚の５／１０〜７／１０に圧縮する請求項６記載のブラジャーの製造方法。
【発明の詳細な説明】
【技術分野】
【０００１】
本発明はバストアップ・ボリュームアップ及びバストの補正効果を有し、圧迫感無く上記効果を長期間維持できるブラジャー、およびその製造方法に関する。
【背景技術】
【０００２】
従来よりバストアップとバストの形状補正効果の向上を図ったブラジャー、あるいはボデイスーツなどのランジェリー、ブラジャーや下着の胸部カップ部に挿入・装着して用いるパッドが開発されている。
下記特許文献１，２，３，４には、バストの中心部分を高く周縁に向かって薄くするとともに下方部に隆起部分を形成したシームレスカップ、あるいはブラジャーのバスト部分に装着するパッドが開示されている。
また、特許文献５には、バストの下側を肉厚としたパットとパットの下端縁より脇側縁のほぼ全長に沿ってワイヤを袋布に入れて取り付けたブラジャーが開示されている。
【特許文献１】実用新案登録第３０２６５９３号公報
【特許文献２】特開平８−１５８１１２号公報
【特許文献３】特開平９−１５７９１３号公報
【特許文献４】特開平９−１３２８０１号公報
【特許文献５】特開平９−２９６３０６号公報
【発明の開示】
【発明が解決しようとする課題】
【０００３】
上記に開示されているブラジャー、あるいはパットを装着したブラジャーは、整えたバストの形を維持するため、カップの下端縁にワイヤを入れていた。
しかし、ワイヤは胸部を線圧迫して長い時間の着用に対して苦痛を伴った。また、繰り返しの洗濯、長期使用によるワイヤを収容している袋の破損などによりワイヤが飛び出し体を損傷させる危惧があった。さらに、ワイヤを飛び出すことなく配設させるための袋部分の縫製に多くの手間がかかり、ブラジャーの製作工程を煩雑にしていた。
また、バスト部分に装着されるパットとブラジャーの表裏布はその周縁のみにて連結されているので、パットの凹凸形状に平板状布地が追従できず、だぶついてしまう不都合があった。特に肌に直接接触するカップ内側の布地がだぶついていると着心地を悪くしていた。
更には、上記ブラジャーは、バストアップ、ボリュームアップ及びバストの補正効果において、着用者が満足できる程度に至らなかった。
【０００４】
そこで、本発明はワイヤの有無に拘らず、特にワイヤレスの場合であっても、確実なバストアップ、ボリュームアップ及びバストの補整効果が得られるとともに、その効果の長期維持が可能で、着用心地のよいブラジャーを提供するものである。
【課題を解決するための手段】
【０００５】
本発明は、内側布と外側布との間にウレタンフォームを成形したウレタン成形体を内装するカップ部と、カップ部に連結する肩紐と背面布を有するブラジャーであって、前記カップ部は着用者の乳房部を収容可能な湾曲面であるとともに、カップ部の頂部の回り下部にウレタン成形体の層厚を最も厚くした層厚部を形成し、カップ部の頂部の回り上部に前記層厚部の層厚に比べて層厚を全体的に薄くした上カップ部を形成し、カップ部の下端縁はウレタンフォームの圧縮率を高くした高密度の支持部を形成してなり、該支持部と上記層厚部とを有する下カップ部が乳房部に面接触して乳房部の補正形状を維持する構成を基本的に具備する。
【０００６】
また、本発明の内側布と外側布との間にウレタン成形体を内装するカップ部を有するブラジャーの製造方法は、複数枚のウレタンフォームを積層するウレタンフォーム積層工程と、該積層されたウレタンフォームをモールド加工して湾曲面を有するウレタン成形体を形成するモールド加工工程を備え、前記モールド加工の加工工程は、部分的に圧縮圧力を変化させながらウレタン成形体の全体が圧縮状態となるよう加工するとともに、カップ部の下端縁の圧縮率を原積層厚の１／１５〜２／１５とし、高密度の支持部を形成する構成を具備する。
【発明の効果】
【０００７】
本発明のブラジャーは、ワイヤの有無に拘らず、特にワイヤレスの場合であっても、確実なバストアップ、ボリュームアップ及びバストの補整効果が得られるとともに、その効果の長期維持が可能であって、着用心地がよい。
また、本発明のブラジャーの製造方法は、圧縮率を部分的に変化させることによって、バストアップ、ボリュームアップ及びバストの補正効果を長期間維持できるブラジャーを製造できる。また、ワイヤを配設することなく、モールド加工によって、ワイヤに換わるバスト支持部を形成でき、身体を損傷する危惧の無いブラジャーを簡単に製造できる。
【発明を実施するための最良の形態】
【０００８】
本発明の実施の形態例を図面を参照して説明する。
図１は本発明に係るブラジャーの全体斜視図、図２はブラジャーの着用状態説明図、図３はウレタン成形体の内側からの平面図、図４は図２線Ｘ−Ｘ断面図、図５は図２線Ｙ−Ｙ断面図である。
ブラジャー１００は、外面方向に突出する湾曲面で形成されたカップ部１０と、左右両カップ部１０を連結する連結具１３と、カップ部１０の脇部分から背面にかけて配設する背面布１７と、カップ部１０上端と上記背面布１７を連結する肩紐１５とよりなる。
カップ部１０は、図４に示すように外側（表）布１２・内側（裏）布１１間にウレタン成形体２を内装した構成となっている。外側布１２・内側布１１としては、例えば、外側布１２としてポリエステルとポリウレタンの２ｗａｙ（縦横伸縮性を有する）マイクロファイバー生地が挙げられるが、特に限定するものではなく、素材はナイロンであってもよく、糸は一般糸であってもよく、生地は編み生地であってもよい。また、内側布１１として綿とポリエステルの生地が挙げられ、素材は綿１００％やポリエステル１００％でもよく、糸はマイクロファイバーであってもよい。なお、内側布１１は、通気性がよく、生地・染色とも肌に対して安全性の高いものであることが好ましい。
背面布１７は、たとえばナイロン、ポリウレタンなどの素材、伸縮性を有する布帛もしくは編み生地により、幅寸法を６．５〜１０．５ｃｍとする幅広帯状に構成されている。
肩紐１５は発泡ウレタンやハニカム構造体を有する生地などの弾性体よりなる薄板の芯材５１を背面布と同様の布帛、もしくは編み生地よりなる被覆布５２で被覆し、両端を伸縮性テープで縫合した構成となっている。また、肩から背面布の間は肩紐１５の長さを調整する調整具を設けたストラップで構成されている。そして、少なくとも着用したとき肩に当接するほぼ中央部分の紐幅ｗを他の部分の紐幅に比べて幅広く形成している。肩紐１５は全長にわたって幅広としても良い。
【０００９】
カップ部１０に内装されるウレタン成形体２はポリウレタンフォームをモールド加工して形成される。図５に示すように、ウレタン成形体２は乳房部Ｂを内部に収容可能なように、外面方向に突出する湾曲面（椀型）となっており、この湾曲面で最も突出している部分を頂部２５とし、乳房部Ｂを収容する湾曲面の下側をフォームの層厚を厚くして層厚部２３を形成している。例えば、この実施の形態では層厚部２３の厚さ寸法Ｅを１５ｍｍ〜２５ｍｍとしている。そして、頂部２５は乳頭部Ｐを収容できる程度に薄く形成されている。さらに、カップ部１０の乳房部Ｂを収容する部分の上側部分は下側部分の層厚部２３の層厚に比べて層厚を薄く構成した上カップ部２７を形成している。
【００１０】
ウレタン成形体２の下端縁は、ポリウレタンフォームを高い圧力で圧縮して高密度とした支持部３０を形成している。図２に示すように、支持部３０は連結具１３の配設位置から脇部３４まで延びる。上記支持部３０は、所定幅の帯状に形成されている。例えばこの実施の形態では、支持部３０の幅寸法Ｓ（図３参照）は４〜９ｍｍ（さらに好ましくは４〜５ｍｍ）、層厚は１．０〜２．０ｍｍとしている。
また、カップ部１０の上カップ部２７の上端縁となるウレタン成形体２の上部端縁部３３はポリウレタンフォームを圧縮して部分的に薄く形成している。支持部３０、上部端縁部３３は、巾方向・長さ方向に伸縮性を持たず保形性が高い。
【００１１】
次にカップ部１０の構成を、図３に基づいて詳述する。
カップ部１０の頂部２５の中心点をＯとし、中心点Ｏを通って垂直線Ｙ、中心点Ｏを通って垂直線Ｙに直交する線を線Ｘとしたとき、前記肩紐取り付け部３５は中心点Ｏを通る垂直線Ｙに対して脇方向に移動した位置に配設されている。そして、線Ｘと線Ｙと支持部３０で囲まれたカップ下部の内側（連結部側）の部分をカップ下部内側２３Ａ、線Ｘと線Ａと支持部３０で囲まれたカップ下部外側（背面布取付け側）の部分をカップ下部外側２３Ｂ、線Ｘと線Ｙと上部端縁部３３で囲まれたカップ上部内側の部分をカップ上部内側２７Ｃ、線Ｘと線Ｙと支持部３０・上部端縁部３３で囲まれたカップ上部外側の部分をカップ上部外側２７Ｄとすると、層厚部２３はカップ下部内側２３Ａ、カップ下部外側２３Ｂからカップ上部外側２７Ｄの一部まで延設され、肩紐取り付け部３５に向かって徐々に層厚を薄く形成している。そして、層厚部２３の頂部２５寄りは、傾斜部２５１を介して中心点Ｏへと連続し、反対寄りは支持部３０に連続する。
また、ウレタン層厚を層厚部２３より薄くした上カップ部２７は、カップ上部内側２７Ｃから上部外側２７Ｄの肩紐取り付け部３５まで延設されて、カップ上部内側２７Ｃから上部外側２７Ｄに沿って厚さを徐々に厚くしてカップ上部外側２７Ｄの層厚部２３に連続するとともに、上部端縁部３３および肩紐取り付け部３５に向かって徐々に層厚を薄くし、頂部２５寄りは傾斜部２５１を介して中心点Ｏへと連続している。
【００１２】
ここで、カップ部１０の製造方法を説明する。・・・図６参照
カップ部１０に内装するウレタン成形体２は、内側布１１を貼り合わせたウレタンフォームを含めて、層厚約５ｍｍのウレタンフォームを少なくとも３枚重ねてモールド加工している。
先ず、第１のウレタンフォーム２ａに内側布１１を貼り合わせる。・・・図６（１）
第１のウレタンフォーム２ａは、表面をガスバーナー等で熱溶融することにより、溶融面２０ａが糊化する性質を有する素材（例えば、アキレス（株）製「アキレスエアロンＢＡ」商標）であり、その溶融面２０ａに内側布１１を圧着して、第１のウレタンフォーム２ａに内側布１１を貼り合わせる。
なお、この方法に限られず、通常のウレタンフォームに糊状物を塗布し、内側布１１を貼り合わせたり、縫合してもよいが、糊化させた溶融面に貼り合せる方法の方が洗濯堅牢性の点、形状保持性の点でより好ましい。
【００１３】
ウレタンフォームの積層体を形成する。・・・図６（２）
内側布１１を貼着している面を下にして第１のウレタンフォーム２ａの内側布１１が貼着されていない面に第２のウレタンフォーム２ｂを重ねる。
第２のウレタンフォーム２ｂ上に補助ウレタンフォーム２ｃを載せる。
上記補助ウレタンフォーム２ｃは、円弧状物であり、円弧全周縁部分４００を薄くし中央部分５００に向かうに従って徐々に層厚を厚くした山型形状をなすウレタンフォームである。
補助ウレタンフォーム２ｃ上に第３のウレタンフォーム２ｄを重ねる。
なお、上記第２、３ウレタンフォーム２ｂ、２ｄ、および補助ウレタンフォーム２ｃは、一般的なウレタンフォームでよい。
【００１４】
各ウレタンフォームを重ねた状態を図６（３）に示す。この図は説明の便宜上カップ部の各部分に対応して並列表示している。
第１のウレタンフォーム２ａ、第２のウレタンフォーム２ｂ、第３のウレタンフォーム２ｄのみが重合している（補助ウレタンフォーム２ｃを介さない場所）部分は支持部３０、カップ上部内側２７Ｃ、及び上部端縁部３３、そして、カップ上部外側（層厚部を除く部分、紐取り付け部近辺）２７Ｄ（図３参照）を形成する。この積層フォームの高さ（原フォーム厚）は１５ｍｍ。
補助ウレタンフォーム２ｃが積層されている部分で、補助ウレタンフォーム２ｃの薄い円弧周縁部分４００が積層する部分の高さ（原フォーム厚）は２０ｍｍであって、補助ウレタンフォーム２ｃの厚さが徐々に増して積層体の高さ（原フォーム厚）が２９ｍｍとなる近辺はカップ下部内側２３Ａを形成する。補助ウレタンフォーム２ｃの最も厚い部分が積層される部分の高さ（原フォーム厚）は３４ｍｍであって、この近辺はカップ下部外側２３Ｂを形成する。その中間部分の高さ（原フォーム厚）は３０ｍｍであって、この部分はカップの頂部２５を形成する。
【００１５】
モールド加工する。・・・図６（４）
所望する形状の凹凸面を有する下釜２００Ａと上釜２００Ｂとで積層ウレタンフォーム（もっとも厚い厚さ３４ｍｍ，もっとも薄い厚さ１５ｍｍ、密度２５Ｋｇ／ｍ３）をモールド加工する。この加工によりカップ全体が圧縮状態となるように圧縮される。
加工条件：下釜１７５℃、上釜１７０℃、モールド時間２２０秒。
このモールド加工により、各部分は下記の表のように圧縮される。
【００１６】
【表１】
2006161246.tif 000003
【００１７】
すなわち、支持部３０相当部分は原フォーム厚１５ｍｍから１．０〜２．０ｍｍに、フォーム原厚の１／１５〜２／１５に圧縮される。そして、カップ上部外側２７Ｄ（層厚部を除いた部分、紐取り付け部近辺）は原フォーム厚１５ｍｍから６〜９ｍｍに、２／５〜３／５に圧縮される。カップ上部内側２７Ｃは原フォーム厚１５ｍｍから４〜５ｍｍに、フォーム原厚の約１／３に圧縮される。上カップ部２７の上端縁部３３は原フォーム厚１５ｍｍから１．０〜１．５ｍｍに、フォーム原厚の１／１５〜１／１０に圧縮される。カップ下部内側２３Ａは原フォーム厚２９ｍｍから１５ｍｍに、約５／１０に圧縮される。カップ部の頂部２５は原フォーム厚３０ｍｍから５〜９ｍｍに、１／６〜３／１０に圧縮される。カップ下部外側２３Ｂは原フォーム厚３４ｍｍから２２ｍｍに、約６／１０〜７／１０に圧縮される。
【００１８】
このように、１５ｍｍの層厚から１．０〜２．０ｍｍ（１／１５〜２／１５）に圧縮された支持部３０は、密度が高くなり、弾性・伸縮性を有さない。このため形状維持特性が大となる。１５ｍｍの層厚が６〜９ｍｍ（２／５〜３／５）に圧縮されたカップ上部外側２７Ｄ（層厚部を除く部分、紐取り付け部近辺）は層厚が薄く密度がやや高くなるが、支持部３０に比べて弾性・柔軟性を有する。原フォーム厚１５ｍｍから４〜５ｍｍに、フォーム原厚の約１／３に圧縮されるカップ上部内側２７Ｃは層厚が薄く密度が高くなるが、支持部３０に比べて弾性・柔軟性を有する。１５ｍｍの層厚が１．０〜１．５ｍｍ（１／１５〜１／１０）に圧縮された上カップ部２７の上端縁部３３は密度が高くなるが、頂部２５に近づくに従い圧縮率が低くなるため、所定幅全てが高密度となる支持部３０に比べると、弾性・柔軟性がある。２９ｍｍの厚さから１５ｍｍ（約５／１０）、３４ｍｍの厚さから２２ｍｍ（約６／１０〜７／１０）に圧縮された部分、カップ下部内側２３Ａ、カップ下部外側２３Ｂは原フォームの密度に近く、弾性を有している。そして、３０ｍｍの厚さから５〜９ｍｍ（１／６〜３／１０）に圧縮した頂部２５は弾性を有し、かつ保形性良好となる。
【００１９】
このように成形したウレタン成形体２に外側布１２を積層してブラジャーを形成する。
次に外側布１２の成形を説明する。
外側布１２をモールド加工する。・・・図７
カップ部の湾曲外表面となるような曲率を有する凹凸面を有する下釜２５０Ａ、上釜２５０Ｂで外側布（生地）１２をモールド加工する。
モールド処理条件：  下釜（２５０Ａ）１６０℃、上釜（２５０Ｂ）１６５℃、
モールド時間６０秒
このモールド加工により、外側布１２はカップ部の湾曲面と同様な湾曲面に成形される。
【００２０】
モールド加工されて湾曲面となった外側布１２を、内側布１１を貼着したウレタン成形体２の外表面に積層（被覆）する。その後、図４，５に示すように、カップ部周縁を被覆布（伸縮テープ）１２０、１２２で被覆して始末し、背面布１７を連設する。また、カップ部１０の肩紐取り付け部３５に肩紐１５の一端を、他端を背面布１７に連結してブラジャー１００を形成する。このとき、肩紐１５の他端を背面布１７の中心部寄りに連結することにより、肩の当接部の広幅部分により肩にかかる加重を分散でき、着心地が楽になるとともに、肩からの肩紐１５のずれ落ちを防止することができる。
【００２１】
上記のブラジャー１００はウレタン成形体２に外側布１２のみを積層する方法であるが、その他、ウレタン成形体の色が黄色に経時変化することがある。ブラジャーの色が薄い場合、例えば、ベージュ、白色などのブラジャーの場合は、ウレタン成形体の変色した黄色が外観から見えてしまう。そのような危惧がある場合は、ウレタン成形体２と外側布１２との間に中間生地（例えば、ナイロン１００％のメッシュ生地等）を介在させる。この中間生地もウレタン成形体、外側布とは別にモールド加工して、湾曲面を形成してから積層する。
この中間生地のモールド加工条件は、
モールド処理条件：  下釜１６５℃、上釜１６０℃、モールド時間４０秒
としている。
ウレタン成形体、中間生地、外側布を積層し、カップ部周縁を被覆布（伸縮テープ）で始末してブラジャーを形成する。
【００２２】
このように、ブラジャー１００は、ウレタン成形体２を内装するカップ部１０の内面（着用時肌に接触する面）がウレタン成形体２に内側布１１が接着されているので、内側布１１はカップの形状に追従してだぶつきがなく着用心地を良好とするとともに、洗濯堅牢度が向上する。さらに、乳頭部Ｐを収容する部分には保形性の高い頂部２５を設けるとともに、頂部２５の回り下部に低い圧縮率でウレタン層厚を厚くし、弾性を有する層厚部２３を形成しているので、内面に収容される乳房部Ｂは乳房下部をウレタン層厚を厚くしたカップ下部外側２３Ｂで持ち上げられ、かつ、乳房部Ｂの脇部は、ウレタン層厚を厚くしたカップ下部外側２３Ｂとカップ上部外側２７Ｄで、図２の矢印Ｈで示すように中央方向に寄せられ両乳房間に顕著な谷間を形成する。さらに、図２に示すように、下部内側２３Ａの層厚部２３は乳房部Ｂを下部から矢印Ｉで示すように持ち上げるとともに、上カップ部２７の上端縁部３３は、層厚が薄いので柔軟性を有し、腕の上下運動などの着用者の動き、および収容されている乳房の動きに追従可能であって、上カップ部の乳房部Ｂからの浮き上がりがない。また、カップ部下部外側２３Ｂで持ち上げられた乳房部Ｂを潰すことなく収容できる。さらに、乳房部Ｂは、カップ部１０の層厚部２３の全面に接触して、面圧迫により持ち上げられているので、着用感が良好となる。
また、乳房部Ｂが大きくない場合であっても、カップの下側は層厚部２３が補正し、上側は上カップ部２７が補正して、かつ、乳頭部Ｐは頂部２５内に収容されるので、バスト部分の外形状が整えられ、ボリュームアップ効果が得られる。
さらに、乳房部Ｂの下側は層厚部２３の持ち上げ効果に加え、支持部３０が連結具１３の配設位置から脇部に掛けて伸縮することなく乳房部Ｂの下部を支持し、ワイヤを配設しなくとも、層厚部２３と支持部３０とにより乳房部Ｂ下部は面接触により圧迫感無く確実に上方向に持ち上げられる。また、接触面積が広いので体の動きによるカップ部の移動が少ない。
【００２３】
以上説明したように、本発明のブラジャー１００はワイヤの有無にかかわらず、特にワイヤレスの場合であっても確実なバストアップ・ボリュームアップ・バストの補整が達成できる。さらに、下カップ部は層厚部２３と支持部３０との広範囲にわたる面接触によるバスト部分の持ち上げ・支持において、締め付けがなく、心地よく確実に乳房の形を整え、バストアップ・ボリュームアップ・補正形状を長期間維持する。また、ワイヤを配設する工程を削除することにより、製作工程の短縮化が達成できる。さらに、乳房は下部を層厚部２３の面全体で押し上げられるので、着用感良好なバストアップ効果が達成できる。
さらに、内側布１１はウレタン成形体２に接着されているので、肌に接触する部分にだぶつきができず、着心地良好であって、かつ内側布はウレタン成形体から離れた動きが無いので、洗濯による破損がない。
【００２４】
この実施の形態では前留め型のブラジャーを示したが、背面側に連結具を配設する後留め型のブラジャーにおいても同様の作用効果を有する。
【図面の簡単な説明】
【００２５】
【図１】本発明のブラジャーの全体斜視図
【図２】ブラジャーの着用状態説明図
【図３】カップ部の説明図
【図４】図２線Ｘ−Ｘ断面図
【図５】図２線Ｙ−Ｙ断面図
【図６】製造工程説明図
【図７】外側布のモールド加工の説明図
【符号の説明】
【００２６】
２  ウレタン成形体
１０  カップ部
１１  内側布
１２  外側布
１３  連結具
１５  肩紐
１７  背面布
２３  層厚部
２５  頂部
２７  上カップ部
３０  支持部
１００  ブラジャー
２００Ａ、２５０Ａ  上釜
２００Ｂ、２５０Ｂ  下釜
【図１】
2006161246.tif 000004
【図２】
2006161246.tif 000005
【図３】
2006161246.tif 000006
【図４】
2006161246.tif 000007
【図５】
2006161246.tif 000008
【図６】
2006161246.tif 000009
【図７】
2006161246.tif 000010